(57)【特許請求の範囲】
【請求項１】
基底部と、当該基底部周縁から立設したりん側部とを有し、
りん側部の上端は開口端になっているとともに、開口端外径よりもりん側部外径が大きい椀状であり、当該りん側部は略垂直方向帯状に延在させたスリット部を有し、
前記スリット部は、りん側部の基底部側から前記開口端まで連続して延在し、且つ基底部の中心部を通過する垂直軸線廻りに点対称となるように２の整数倍であって４本以上有し、
前記スリット部の基部幅寸法ｄ０よりも開口端部寸法ｄ１の方が小さく設定してあり、
前記りん側部の中心軸廻り外接円直径が６２ｍｍ以下であって、且つ一次モードの振動数が２，２００Ｈｚ以下であることを特徴とするりん。
【発明の詳細な説明】
【技術分野】
【０００１】
本発明はりん棒や叩打棒等にて叩打して音を出すりんであって、音の高低やその音色の調整に適したりんに関する。
【背景技術】
【０００２】
呼び鈴や、葬祭用具として用いられるおりんにあっては、その大きさや材質によって鳴り響く打音の高さや音色が変化することは広く知られている。
一般的には径が大きいほど振動数の少ない相対的に低い音が出ることが公知である。
近年、住環境の都市化や宗教観の変化から仏壇が小型化されつつある。
それに伴い、仏具の小型化も要求されるようになっているが、いわゆる三具足、五具足と称されるような仏具にあっては比較的小型化が容易であるものの、りんは単に小型化するだけでは打音が高音になり過ぎ、それまで和やかで伸びのある音を好んでいた人にとっては受け入れ難いものであった。
また、りんの厚みを薄くする方法では強度の維持が難しいだけでなく、伸びのある音が得られない。
【０００３】
特許文献１には、椀状等のりんの口縁部の内側であって、この口縁部から間隙を有した位置に厚肉部を全周に亘って無端帯状に形成した技術を開示するが、打音の高さを充分に調整できるものではない。
特許文献２には、上向きに開口する小径鈴体の上側に、下向きに開口する大径鈴体からなる共鳴音の調整を可能にした鈴具を開示するが、固有振動そのものを少なくできるものではない。
【先行技術文献】
【特許文献】
【０００４】
【特許文献１】特開２００７−６１２２４号公報
【特許文献２】特開２００３−３１９８６９号公報
【発明の概要】
【発明が解決しようとする課題】
【０００５】
本発明は固有振動数の上昇を抑えつつ、小型化を図るのに有効で、音に伸びがあり微妙な音色の調整や、新たな音色の創出に有効なりんの提供を目的とする。
【課題を解決するための手段】
【０００６】
本発明に係る小型のりんは、基底部と、当該基底部周縁から立設したりん側部とを有し、りん側部の上端は開口端になっているとともに、当該りん側部は略垂直方向帯状に延在させたスリット部を有し、前記スリット部は、りん側部の基底部側から前記開口端まで連続して延在し、且つ基底部の中心部を通過する垂直軸線廻りに点対称となるように２の整数倍であって４本以上有することを特徴とする。
【０００７】
ここで、りんの基底部とは載置型のりんにあっては、りん台、りん蒲団等に置く部分をいい、吊り下げ型のりんにあっては、吊り下げ基部となる部分をいう。
基底部の形状は平面形状に近いものや球面に近い凸面形状等であってもよく、特に限定はない。
基底部の底面が平面状であれば、載置安定性に優れ、この底面が曲面状であれば、りんを載置し打りん場合に、りんが左右、前後に揺らぐ効果が生じる。
基底部の内面も平面状であれば、りん側部の根元と基底部の境目がはっきりするが、この内面が曲面の場合には、りん側部の根元と基底部の境目がなだらかになる。
また、りん側部は基底部から椀状に立設したものでも筒状や球面状に立設したものでもよい。
ここで、帯状とは相対的に上下方向の方が左右方向よりも細く長いことをいい、必ずしも上下方向に直線上である必要はなく、部分的にあるいは全体的に左右方向に曲がり部を有する曲線状でもよい。
さらには、スリット部は、りん側部の基底部側から前記開口端まで連続して延在していてもよい。
このようにスリット部を有し、それらがりんの開口端までつながっているとりん開口縁の振動に、より大きな影響を与える。
特にスリット部の上端がりん側部の開口端までつながっているとはスリット部の上端がそのまま開口するように切欠いた状態になっていることを意味し、スリット部にて分割されたりん側部がそれぞれ振動する端部エレメントとして作用する。
【０００８】
本発明に係るりんにあっては、基本モードとも称される一次モードの振動数を低くするのが目的である他に伸びる音や微妙に変化する音色を得ることも目的とするから、スリット部は、基底部の中心部を通過する垂直軸線廻りに点対称となるように複数有するのがよく、点対称となる配置の例としては略正三角形になるようにしてもよく、その数が２あるいは４の整数倍になるように設けてもよい。
対称性があると、共振性が高くなり、高次の振動モードにも変化を与える。
また、基底部と、当該基底部周縁から立設したりん側部とを有し、りん側部の上端は開口端になっているとともに、当該りん側部は、打音調整のための貫通孔を、基底部の中心部を通過する垂直軸線廻りに点対称になるように複数有するような形態であってもよい。
りん側部の形も曲面形状の他に多面体形状とした、いわゆるミラーボールのようにしてもよい。
【発明の効果】
【０００９】
本発明に係るりんにあっては、りん側部の中心軸廻り外接円直径で表現すると、この外接円直径の最大が６２ｍｍ以下であっても一次モードの振動数を２，２００Ｈｚ以下に抑えることができる。
特にりんの開口端まで切欠いた複数のスリットを有するりんにあってはさらにこの最大外接円直径が５６ｍｍ以下、４２ｍｍ以下の小型に製作しても一次モードの振動数を２，２００Ｈｚ以下に抑えることができる。
りん側部の中心軸廻り最大外接円の直径が小さくなるにつれて、りんの高さ寸法も小さくして良く、お椀状のりんに形成する場合には、りんの高さ寸法をりん側部の最大外接円の直径と同等以下が良い。
また、スリット部から漏れる音の回折効果により内部で発生した音が全体的に外に広がり、味わいのある音色が発現する。
スリット部の切欠き幅や長さ（深さ）によっても音の高低や音色に影響を与え、スリット部の長さはりん側部の高さの１／５〜２／３程度がよい。
また、分割された端部エレメントの形状によっても音色や加わる高い音の成分が変化する。
従って、分割された端部エレメントの上部、開口端側を外側に広げるように伸ばしたり曲げたりすることでも音色の調整ができる。
この場合に、各端部エレメントを基底部の中心部を通過する垂直軸線廻りに点対称になるように、変形させるのが良い。
複数の薄肉部、又はスリット部を基底部の中心部を通過する垂直軸線廻りに点対称に設けると、一次モードの振動数を低くすることができるだけでなく、この基本音が強調され、音に伸びが生じ余韻が強く残る音色になる。
一方、りん全体を薄肉にし、部分的に上下方向の厚肉部を形成することで強度向上を図りながら全体として一次モードの振動数の上昇を抑えることもできる。
本発明に係るりんは、小型化による振動数の上昇を抑える効果があり、りん側部や基底部の厚みも振動数に影響を与え、これらの肉厚は約１ｍｍ〜４ｍｍ程度が良い。
【図面の簡単な説明】
【００１０】
【図１】（ａ）は実施例１としてスリットの上部が開口したりんの例の斜視図を示し、（ｂ）は正面図を示す。
【図２】実施例１のりんにおいて、（ａ）は平面図を示し、（ｂ）は底面図を示す。
【図３】実施例２に係るりんの外観斜視図を示す。
【図４】実施例３に係るりんを示し、（ａ）は外観斜視図、（ｂ）はスリット部の断面図を示す。
【図５】実施例４に係るりんを示し、（ａ）は斜視図を示し、（ｂ）は薄肉部付近の断面図を示す。
【図６】実施例５に係るりんを示し、（ａ）は斜視図を示し、（ｂ）は貫通孔付近の断面図を示す。
【図７】実施例６に係るりんを示し、（ａ）は斜視図を示し、（ｂ）は半円球状の薄肉部付近の断面図を示す。
【図８】実施例７に係るりんを示し、（ａ）は大きい径の孔の間に小さな径の孔をちりばめた例を示し、（ｂ）は孔を中心軸廻り点対称に配置した例を示す。
【図９】実施例８に係るりんを示し、（ａ）はりんの開口端面に半円状の切欠き凹部を形成した例を示し、（ｂ）は開口端の形状を花びら状の凹凸形状にした例を示す。
【図１０】サンプルＡの振動数測定チャートを示す。
【図１１】サンプルＢの振動数測定チャートを示す。
【図１２】サンプルＣの振動数測定チャートを示す。
【発明を実施するための形態】
【００１１】
本発明に係るりんの実施例を以下図面に基づいて説明するが、本発明はこれらに限定されるものではない。
【実施例１】
【００１２】
図１に示したりん１０は全体が略球形状に近い椀状の形状に形成した例を示す。
りん１０は基底部１１の周縁からりん側部１２を立設し、りん側部１２にはりんの開口端１３から基底部１１側に向けてスリット状に切欠いたスリット部１４を複数有する。
本実施例では基底部１１の中心を通過する垂直軸線２０廻りに複数のスリット部１４を点対称になるように形成した例である。
スリット部１４の数は２の整数倍、特に４の整数倍がよく、本実施例１は８本有する例となっている。
スリット部の長さ（深さ）寸法ｈ、開口端幅寸法ｄ１及び基部幅寸法ｄ０を適宜設定することでスリット部１４にて分割された複数の端部エレメント１５の振動数が変化し、りん側部全体の一次モードの振動数が少なくなるのに加え、端部エレメント１５の振動が加味されることで伸びがあり、味わいのある音色となる。
スリット部１４の深さ寸法は、りん側部の高さの１／５〜２／３の範囲が好ましく、本実施例では約１／３に設定し、基部幅寸法ｄ０よりも開口端幅寸法ｄ１を小さくすることで端部エレメント１５の形状が正面視、略長方形になるように設定した例となっている。
【００１３】
りんの材質は金属であるのが好ましく、特に青銅、真鍮、シルジン等の銅合金の方が鉄よりも錆にくい点で好ましい。
実施例１に示した形状でりん側部の軸廻りにおいて最大となる外接円の直径が４０ｍｍの真鍮製のりんを試作し評価したところ、一次モードの振動数は約２，０００Ｈｚであった。
【実施例２】
【００１４】
図３は実施例２を示し、スリットの本数を６つにし、スリット部１４ａの形状をｄ０＝ｄ１となるように切欠き、端部エレメント１５ａが正面視略台形になるようにした例である。
端部エレメント１５ａは、スリット部１４ａにて分離しているので開口端側を部分的に垂直にしたり、あるいは花びらが開くように外側に折り曲げることもできる。
【実施例３】
【００１５】
図４に示したりんの例はりん側部に沿って、りんの開口端１３がつながるように長孔のスリット部１６を４本形成した例であり、図４（ｂ）にスリット部１６の断面図を示す。
【実施例４】
【００１６】
図５に示したりんの例はりん側部１２の外側に上下方向帯状の薄肉部１７を形成した例である。
図５（ｂ）に薄肉部１７の断面図を示す。
【実施例５】
【００１７】
図６に示したりんはりん側部１２に貫通孔１８を複数形成した貫通孔１８から光が漏れ、意匠的に変化を与えることができる。
【実施例６】
【００１８】
図７に示した例はりん側部１２に円形状の凹部（くぼみ）１９を複数ちりばめた例を示す。
【実施例７】
【００１９】
図８に示したりんの例は垂直軸線廻りに対称になるように貫通孔１８ａ，１８ｂ，１８ｃを設けた例を示し、（ａ）は大小の貫通孔１８ａ，１８ｂを形成した例を示す。
【実施例８】
【００２０】
図９に示した例はりんの開口端１３に凹部１３ａや花びら状に形成するための凹凸形状１３ｂを形成した例になっていて、これによってもりんの音色が変化する。
【００２１】
次に、打音の振動数を測定比較した。
サンプルＡ：図１に示した形状スリット数８つ、軸廻り最大径３８ｍｍ、りん側部の肉
厚２ｍｍ、スリット幅ｄ０＝ｄ１＝３ｍｍ、スリット深さｈ＝１０ｍｍ、
りんの全高約２８ｍｍ
サンプルＢ：サンプルＡと形状が同じで、りん側部の肉厚を１ｍｍにしたもの
サンプルＣ：サンプルＡと同じ外形及び肉厚でスリット部が無いもの
サンプルＡ、Ｂ、Ｃの振動数の測定チャートを図１０、図１１及び図１２にそれぞれ示す。
この結果、スリット部の無い球形椀状のサンプルＣは、一次モードの振動数が約５，３５０Ｈｚであったものがスリット部を有するサンプルＡは、一次モードの振動数が約２，１８０Ｈｚであり、大幅に振動数が小さくなっているとともに二次モード以上の高次のモードの振動数の発現にも差が認められた。
また、肉厚の薄いサンプルＢは一次モードの振動数が約１，１２０Ｈｚとさらに小さくなっていた。
【符号の説明】
【００２２】
１０      りん
１１      基底部
１２      りん側部
１３      開口端
１４      スリット部
１５      端部エレメント
１６      スリット部
２０      垂直軸線
【図１】
0005861151.tif 000002
【図２】
0005861151.tif 000003
【図３】
0005861151.tif 000004
【図４】
0005861151.tif 000005
【図５】
0005861151.tif 000006
【図６】
0005861151.tif 000007
【図７】
0005861151.tif 000008
【図８】
0005861151.tif 000009
【図９】
0005861151.tif 000010
【図１０】
0005861151.tif 000011
【図１１】
0005861151.tif 000012
【図１２】
0005861151.tif 000013